(57)【要約】      （修正有）【課題】墨液が容器内壁に付着して透明性が失われることがなく、容易に墨液の内容量を確認することができ、適切に取り出すことが行える墨液収容容器を提供する。【解決手段】墨液収容容器のプラスチック成形材料に、高透明性、高平滑性を有する低密度ポリエチレンを用いることで、墨液が容器内壁に残留しないことを可能とし、且つ、墨液収容容器本体の外側に墨液の内容量を表示する目盛りを設けた。【選択図】図４
0003235084.tif 000002
【実用新案登録請求の範囲】
【請求項１】
容器の成形時において、高平滑性を有した低密度ポリエチレンを用いた墨液収容容器。
【請求項２】
容器の成形時において、プラスチック成型材料に、高平滑性を付与する添加剤が配合された低密度ポリエチレンを用いた墨液収容容器。
【請求項３】
請求項１に記載の墨液収容容器において、墨液の内容量を表示する目盛りが墨液収容容器の両側面に設けられていることを特徴とする墨液収容容器。
【請求項４】
請求項２に記載の墨液収容容器において、墨液収容容器の両側面に配置された目盛りが、外に向かって凸状に形成されている、又は内に向かって凹状に形成されていることを特徴とする墨液収容容器。
【考案の詳細な説明】
【技術分野】
【０００１】
本考案は、墨液が容器内壁に付着することなく、容易に墨液の内容量が確認でき、適切に取り出すことが行える墨液収容容器に関するものである。
【背景技術】
【０００２】
従来、墨液収容容器のプラスチック成型時においては、容器基材として高密度ポリエチレンとプラスチック用着色剤（マスターバッジ）を用いることで、主に黒色を呈した墨液収容容器を成形している。その他の書道用液体収容容器については、例えば添削用の朱液は赤色あるいは着色されていない半透明容器となっている。
【０００３】
現在市場で販売されている書道用の液体墨（以下、墨液と称する）は、カーボンブラックを膠または水溶性合成樹脂の水溶液と混練し、必要に応じて界面活性剤、防腐剤、香料を添加して、分散機を用いてカーボンブラックを分散させ、一定の粘度、濃度になる様に水で調製したものである。調整は、普通墨液から超濃墨液まで、製品の特徴に合わせて行われる。墨液の粘度は、普通墨液で、5.0 mPa・s（20℃）、超濃墨液で、80.0 mPa・s（20℃）ある。また、墨液の表面張力は、40〜50 mN/m（20℃）が好ましい。
【先行技術文献】
【特許文献】
【０００４】
【特許文献１】実用新案登録第３１０４８５０号  公報
【考案の概要】
【考案が解決しようとする課題】
【０００５】
プラスチック用着色剤によって着色された墨液収容容器は、透明ではないために内容量が目視では判別できない。また、未着色の透明又は半透明の収容容器に墨液を収容したとしても、長期間収容しておくことで、浸漬された容器内壁に墨液が付着する。
【０００６】
従来においては、特許文献1に示されるように、目盛り付きの収容容器自体は既に公知である。しかし墨液収容容器として適した構成の収容容器は存在していない。特許文献１では容器はペットボトルとなっており、容器基材はポリエチレンテレフタレートである。ポリエチレンテレフタレートの表面張力の値は41〜43 mN/mであり、ポリエチレンの表面張力の値32〜36 mN/mよりも高いため、早期に墨液の付着が発生する。また、内容物が容器内壁に残留しないようにする機構は設けられておらず、墨液収容容器として使用するには不適である。
【０００７】
一般的に、表面張力が低くて粘度が高い液体ほど、容器基材に対する濡れ性が大きいために液だれを起こす。よって、収容容器を傾けて墨液を付着箇所から移動させたとしても、上記の特性を持つ墨液が容器内壁に残留して容器内部を隠蔽するために、内容量を目視で判別することができない。
【０００８】
また、墨液収容容器から墨液を所定量適切に取り出して使用する場合、一般に目分量や計量カップを用いて取り出す墨液の量を調整するようにしている。
【０００９】
しかし、このように計量カップを用いて墨液収容容器から取り出す墨液の量を調整することは面倒であり、また計量カップがない環境等において取り出す場合には目分量で行うことになり、所定量の墨液を適切に取り出すことが困難になるという問題があった。
【００１０】
また、墨液を透明又は半透明の収容容器に収容して、容器自体に目盛りを設けるようにしても、上記の墨液による付着、隠蔽が発生するという問題があった。
【課題を解決するための手段】
【００１１】
本考案においては、上記の課題を解決するため、墨液収容容器の容器基材に、高透明性を持ち合わせた、且つ、高平滑性を付与する添加剤が配合された、低密度ポリエチレン樹脂を用いることにした。
【００１２】
この高平滑性が施された低密度ポリエチレンからなる墨液収容容器は、容器基材の表面張力が、従来の高密度ポリエチレンからなる墨液収容容器よりも低下しているため、墨液の容器基材に対する濡れ性が減少して、墨液が容器内壁に残留しないことを可能とした。
【００１３】
また、上記の墨液収容容器の外側に、墨液の内容量を表示する目盛りを設けた。
【００１４】
ここで、上記の内容量を表示する目盛りを墨液収容容器に設ける場合、容器の成型時に容器の両側面に設置すると、使用時に目盛り部分が滑り止めの効果になって便利である。
【考案の効果】
【００１５】
本考案における墨液収容容器においては、容器基材に高透明性、高平滑性を有する低密度ポリエチレンを用いることで、墨液が容器内壁に付着することがない。
【００１６】
また、透明性が高いので容易に墨液の内容量が確認できるようになる。
【００１７】
また、本考案においては、墨液の内容量を表示する目盛りを設けたため、計量カップがない場合や目分量で行う時においても、墨液が収容された墨液収容容器から適当量の墨液を適切に取り出すことが行えるようになる。
【００１８】
また、上記の目盛りを設けるようにすると、墨液収容容器内における墨液の内容量をこの目盛りを通して検知できるようになる。
【００１９】
そして、容器のプラスチック成型時に目盛りがあらかじめ容器の両側面に配置されるように成形すると、墨液を取り出す際に目盛りが滑り止めの効果になって、安定して容器を保持できるようになる。
【図面の簡単な説明】
【００２０】
【図１】本考案の実施形態に係る墨液収容容器を示した概略正面図である。
【図２】本考案の実施形態に係る墨液収容容器を示した概略左面図である。
【図３】本考案の実施形態に係る墨液収容容器を示した概略右面図である。
【図４】本考案の実施形態に係る墨液収容容器を示した概略斜面図である。
【考案を実施するための形態】
【００２１】
以下、この考案の実施形態に係る墨液収容容器を添付図面に基づいて具体的に説明する。なお、この考案に係る収容容器形状、目盛りは、特に下記の実施形態に示したものに限定されるものではなく、その要旨を変更しない範囲において便宜変更して実施できるものである。
【００２２】
この実施形態における墨液収容容器本体１においては、図1に示すように肩部２の勾配が丸みを帯びているなで型ボトルでも、角型に形成された角型ボトルでもよい。いずれも目盛りを容器側面に設置することができる形状が好ましい。
【００２３】
ここで、墨液収容容器本体1の容器基材としては、高透明性が特徴である低密度ポリエチレンが用いられる。且つ、高平滑性を付与する添加剤が配合されている為に、容器基材の表面張力の値が低下している。例えば、一般的な低密度ポリエチレンの表面張力の値は36 mN/mを有するものであるが、高平滑性を付与する添加剤が配合された低密度ポリエチレンは、その値よりも小さくなる。
【００２４】
そして、高平滑性を付与するにあたっては、容器内壁に高平滑性を付与するコーティング処理をしたものでもよい。
【００２５】
また、容器の成形時に容器の透明性を損なわない程度に、適宜、プラスチック用着色剤（マスターバッジ）を用いてもよい。
【００２６】
この実施形態における目盛り３、目盛り４においては、図２、図３に示すように、墨液収容容器の外側面の上下方向に沿って、50ml単位といった区切りのよい容量を示した目盛りと、最大容量180mlを示した目盛りを設ける。
【００２７】
なお、目盛り３、目盛り４の設置場所は、製品ラベルが貼られない狭い側面が好ましい。
【００２８】
そして、このように目盛り３、目盛り４を設ける場合、容器の成形時に、外に向かって凸状、又は内に向かって凹状で、容器の両側面に成形されるように設置する。
【００２９】
このように目盛り３、目盛り４を設置すると、容器を保持した際に目盛りが滑り止めの効果となって安定して容器を保持できるようになる。
【符号の説明】
【００３０】
１ 容器本体
２ 容器肩部
３ 容器左面目盛り
４ 容器右面目盛り
【図１】
0003235084.tif 000003
【図２】
0003235084.tif 000004
【図３】
0003235084.tif 000005
【図４】
0003235084.tif 000006